(57)【特許請求の範囲】
【請求項１】
本体部と、前記本体部から延びる感熱棒と、前記本体部の前記感熱棒側に設けられる端子接続部とを有する温度調節器と、
仮想平面に沿って配置される発熱部と、
前記発熱部の端部に設けられ前記端子接続部と連結可能である端子部と、前記感熱棒の挿通孔とを有する温度調節器受容部と、
前記発熱部上に着脱自在に設置される加熱板と、
第１壁部と、高さ方向における上端の位置が前記第１壁部の高さ方向における上端の位置よりも前記感熱棒の太さ以上に高い第２壁部とを含む壁部材、および、設置状態において上方に向かって前記壁部材を付勢する付勢部を有し、前記挿通孔の前記発熱部側の近傍に配置される安全装置と
を備え、
前記安全装置は、前記加熱板が前記発熱部上に設置されていないとき（「加熱板未設置時」）、前記第１壁部により前記感熱棒の進入を遮ることにより前記端子接続部が前記端子部に連結されることを妨げる状態となり、前記加熱板が前記発熱部上に設置されているとき（「加熱板設置時」という）、前記感熱棒が規定位置まで挿入されることができると共に前記端子接続部に前記端子部が連結されることができる状態となり、
前記第２壁部は、前記加熱板未設置時および前記加熱板設置時のいずれにおいても正面透視図において前記挿通孔に対向しない
加熱調理器。
【請求項２】
本体部と、前記本体部から延びる感熱棒と、前記本体部の前記感熱棒側に設けられる端子接続部とを有する温度調節器と、
仮想平面に沿って配置される発熱部と、
前記発熱部の端部に設けられ前記端子接続部と連結可能である端子部と、前記感熱棒の挿通孔とを有する温度調節器受容部と、
開口または切り欠きを含む枠体と、前記枠体の内側に着脱可能に設置される板体とを有し、前記発熱部上に着脱自在に設置される加熱板と、
第１壁部と、高さ方向における上端の位置が前記第１壁部の高さ方向における上端の位置よりも高い第２壁部とを含む壁部材、および、設置状態において上方に向かって前記壁部材を付勢する付勢部を有し、前記挿通孔の前記発熱部側の近傍に配置される安全装置と
を備え、
前記第２壁部は、前記枠体が前記発熱部上に設置されているとき、平面視において前記開口または前記切り欠きに対向し、前記板体が前記枠体に設置されているとき、平面視において前記板体に対向し、
前記安全装置は、前記板体が前記発熱部上に設置されていないとき、前記第１壁部により前記感熱棒の進入を遮ることにより前記端子接続部が前記端子部に連結されることを妨げる状態となり、前記板体が前記発熱部上に設置されているとき、前記感熱棒が規定位置まで挿入されることができると共に前記端子接続部に前記端子部が連結されることができる状態となる
加熱調理器。
【発明の詳細な説明】
【技術分野】
【０００１】
本発明は、ホットプレート等の加熱調理器に関する。
【背景技術】
【０００２】
過去に「プレートが本体に設置されている状態でのみ、感熱棒を正常に挿入することができる安全装置付きの加熱調理器」が提案されている（例えば、特開２００６−２０９６５号公報等参照）。このような安全装置付きの加熱調理器では、通常、プレートの裏側に感熱棒挿入用のリブが設けられており、上方に向かって付勢された挿入防止壁をそのリブで押し下げることにより、そのリブ内に感熱棒を挿入することができる状態となる。
【先行技術文献】
【特許文献】
【０００３】
【特許文献１】特開２００６−２０９６５号公報
【発明の概要】
【発明が解決しようとする課題】
【０００４】
しかし、このようにプレートの裏側にリブを形成すると、その形状等によっては、使用者がそのプレートを洗浄しにくくなったりすることがある。本発明の課題は、プレートの裏側にリブ等を形成する必要がない安全装置付きの加熱調理器を提供することにある。
【課題を解決するための手段】
【０００５】
本発明の一局面に係る加熱調理器は、温度調節器、発熱部、温度調節器受容部、加熱板および安全装置を備える。温度調節器は、本体部、感熱棒および端子接続部を有する。なお、本体部には、回転式温度調整ツマミ等が設けられている。感熱棒は、本体部から延びている。端子接続部は、本体部の感熱棒側に設けられる。発熱部は、仮想平面に沿って配置される。なお、この発熱部は、設置状態において略水平な仮想平面に沿って配置されることが好ましい。温度調節器受容部は、端子部および挿通孔を有する。端子部は、発熱部の端部に設けられる。また、この端子部は、端子接続部と連結可能である。温度調節器が温度調節器受容部に受容されるとき、挿通孔に感熱棒が挿通される。加熱板は、発熱部上に着脱自在に設置される。なお、この加熱板の裏側に感熱棒挿入用リブが形成されていてもよいし、形成されていなくてもよい。後者である場合、その加熱板は、洗浄しやすくなる。また、加熱板が発熱部上に設置されている状態において、加熱板と発熱部との間に隙間が生じていてもよい。また、この加熱板は、枠体および板体から構成されていてもよい。かかる場合、付勢部の付勢力は、枠体の重さのみでは「感熱棒が規定位置まで挿入されることができると共に端子接続部に端子部が連結されることができる状態（以下「連結可能状態」という）」にはならず、枠体に板体が設置されたときに初めて「連結可能状態」になるように調整されることが好ましい。安全装置は、壁部材および付勢部を有する。壁部材は、第１壁部および第２壁部を含む。なお、正面視において第１壁部の上端部に窪みや切り欠きが形成される場合、第１壁部は、その窪みや切り欠きが設けられる部分である。第２壁部は、高さ方向における上端の位置が第１壁部の高さ方向における上端の位置よりも感熱棒の太さ以上に高い。なお、ここで、第１壁部は一枚の壁であり、第２壁部は第１壁部と離間して設けられる１又は複数の壁であることが好ましい。付勢部は、設置状態において壁部材を上方に向かって付勢する。この安全装置は、挿通孔の発熱部側の近傍に配置される。なお、ここにいう「近傍」とは、本発明の主旨を損ねない距離を意味する。そして、この距離は、感熱棒の長さ、端子部の長さ、端子部と端子接続部との距離等を考慮して決定される。そして、この安全装置は、加熱板が発熱部上に設置されていないとき（「加熱板未設置時」）、第１壁部により感熱棒の進入を遮ることにより端子接続部が端子部に連結されることを妨げる状態となり、加熱板が発熱部上に設置されているとき（「加熱板設置時」という）、感熱棒が規定位置まで挿入されることができると共に端子接続部に端子部が連結されることができる状態となる。なお、第２壁部は、加熱板未設置時および加熱板設置時のいずれにおいても正面透視図において挿通孔に対向しない。また、壁部材が加熱板によって押し下げられる際、第２壁部が加熱板の裏面に接触する。
【０００６】
この加熱調理器では、安全装置の壁部材において、感熱棒の進入を遮るための第１壁部と、高さ方向における上端の位置が第１壁部の高さ方向における上端の位置よりも高い第２壁部とが設けられる。このため、例えば、「第１壁部の高さ方向における上端の位置」と「第２壁部の高さ方向における上端の位置」との差を感熱棒の太さ以上に設計し、加熱板未設置時、側面透視図において第２壁部の高さ方向における上端の位置が発熱部の高さ方向の上端の位置よりも上方に位置するように設計すれば、加熱板の裏側が平らであっても、加熱板設置時において第１壁部の上方に感熱棒を通過させることができる。このため、この加熱調理器では、加熱板（プレート）の裏側にリブ等を形成する必要がない。
【０００７】
なお、上述の加熱調理器において、第２壁部は、加熱板未設置時、側面透視図において高さ方向における上端の位置が発熱部の高さ方向の上端の位置よりも上方に位置することが好ましい。
【０００８】
また、上述の加熱調理器において、第２壁部は、加熱板の裏面に対して線接触または点接触することが好ましい。このようにすれば、加熱板から第２壁部に伝達される熱量を低減することができ、延いては、感熱棒の測定精度を向上させることができるからである。
【０００９】
本発明の他の局面に係る加熱調理器は、温度調節器、発熱部、温度調節器受容部、加熱板および安全装置を備える。温度調節器は、本体部、感熱棒および端子接続部を有する。なお、本体部には、回転式温度調整ツマミ等が設けられている。感熱棒は、本体部から延びている。端子接続部は、本体部の感熱棒側に設けられる。発熱部は、仮想平面に沿って配置される。なお、この発熱部は、設置状態において略水平な仮想平面に沿って配置されることが好ましい。温度調節器受容部は、端子部および挿通孔を有する。端子部は、発熱部の端部に設けられる。また、この端子部は、端子接続部と連結可能である。温度調節器が温度調節器受容部に受容されるとき、挿通孔に感熱棒が挿通される。加熱板は、枠体および板体を有する。すなわち、この加熱板は、枠体と板体とに分割されている。枠体は、開口または切り欠きを含む。板体は、枠体の内側に着脱可能に設置される。そして、この加熱板は、発熱部上に着脱自在に設置される。なお、この加熱板の裏側に感熱棒挿入用リブが形成されていてもよいし、形成されていなくてもよい。後者である場合、その加熱板は、洗浄しやすくなる。また、加熱板が発熱部上に設置されている状態において、加熱板と発熱部との間に隙間が生じていてもよい。安全装置は、壁部材および付勢部を有する。壁部材は、第１壁部および第２壁部を含む。なお、正面視において第１壁部の上端部に窪みや切り欠きが形成される場合、第１壁部は、その窪みや切り欠きが設けられる部分である。第２壁部は、高さ方向における上端の位置が第１壁部の高さ方向における上端の位置よりも高い。なお、ここで、第１壁部は一枚の壁であり、第２壁部は第１壁部と離間して設けられる１又は複数の壁であることが好ましい。なお、この第２壁部は、枠体が発熱部上に設置されているとき、平面視において開口または切り欠きに対向し、板体が枠体に設置されているとき、平面視において板体に対向する。なお、第２壁部は、第１壁部を介して感熱棒の挿通孔に対向してもよいし、感熱棒の挿通孔に対向しなくてもよい。付勢部は、設置状態において壁部材を上方に向かって付勢する。この安全装置は、挿通孔の発熱部側の近傍に配置される。なお、ここにいう「近傍」とは、本発明の主旨を損ねない距離を意味する。そして、この距離は、感熱棒の長さ、端子部の長さ、端子部と端子接続部との距離等を考慮して決定される。そして、この安全装置は、板体が発熱部上に設置されていないとき（「板体未設置時」）、第１壁部により感熱棒の進入を遮ることにより端子接続部が端子部に連結されることを妨げる状態となり、板体が発熱部上に設置されているとき（「板体設置時」）、感熱棒が規定位置まで挿入されることができると共に端子接続部に端子部が連結されることができる状態となる。なお、壁部材が板体によって押し下げられる際、第２壁部が板体の裏面に接触する。
【００１０】
この加熱調理器では、安全装置の壁部材において、感熱棒の進入を遮るための第１壁部と、高さ方向における上端の位置が第１壁部の高さ方向における上端の位置よりも高い第２壁部とが設けられる。このため、例えば、「第１壁部の高さ方向における上端の位置」と「第２壁部の高さ方向における上端の位置」との差を感熱棒の太さ以上に設計し、板体未設置時、側面透視図において第２壁部の高さ方向における上端の位置が発熱部の高さ方向の上端の位置よりも上方に位置するように設計すれば、板体の裏側が平らであっても、加熱板設置時において第１壁部の上方に感熱棒を通過させることができる。このため、この加熱調理器では、加熱板（プレート）の裏側にリブ等を形成する必要がない。また、この加熱調理器では、枠体を設置しただけでは壁部材を降下させることができず、枠体に板体を設置して初めて壁部材を降下させることができる。このため、この加熱調理器では、調理可能な状態となって初めて発熱部に通電することができる。
【図面の簡単な説明】
【００１１】
【図１】本発明の第１実施形態に係るホットプレートの本体の斜視図である。
【図２】本発明の第１実施形態に係るホットプレートの本体の平面図である。
【図３】図２に示されるホットプレートの本体のＡ−Ａ断面図である。
【図４】本発明の第１実施形態に係るホットプレートの本体にプレートを設置したときの平面図である。
【図５】図４に示されるホットプレートのＢ−Ｂ断面図である。
【図６】本発明の第１実施形態に係るホットプレートの本体に設けられる安全装置の斜視図である。
【図７】本発明の第１実施形態に係るホットプレートの本体に設けられる安全装置の縦断面図である。
【図８】本発明の第１実施形態に係るホットプレートの本体に設けられる安全装置の背面図である。
【図９】本発明の第１実施形態に係るホットプレートの本体に設けられる安全装置を構成する壁部材の斜視図である。
【図１０】本発明の第１実施形態に係るホットプレートのプレートを裏返したときの斜視図である。
【図１１】本発明の第２実施形態に係るホットプレートの本体の斜視図である。
【図１２】本発明の第２実施形態に係るホットプレートの本体の平面図である。
【図１３】図１２に示されるホットプレートの本体のＣ−Ｃ断面図である。
【図１４】本発明の第２実施形態に係るホットプレートの本体に枠体のみを設置したときの斜視図である。
【図１５】本発明の第２実施形態に係るホットプレートの本体に枠体のみを設置したときの平面図である。
【図１６】図１５に示されるホットプレート（枠体のみ設置）のＤ−Ｄ断面図である。
【図１７】本発明の第２実施形態に係るホットプレートの枠体を裏返したときの斜視図である。
【図１８】本発明の第２実施形態に係るホットプレートの枠体に板体を設置したときの斜視図である。
【図１９】本発明の第２実施形態に係るホットプレートの枠体に板体を設置したときの平面図である。
【図２０】図１９に示されるホットプレートのＥ−Ｅ断面図である。
【発明を実施するための形態】
【００１２】
−第１実施形態−
＜本発明の第１実施形態に係るホットプレートの構成＞
本発明の第１実施形態に係るホットプレート１００は、図１から図５に示されるように、主に、本体１１０、プレート１５０および温度調節器１８０から構成される。以下、これらの構成要素について詳述する。
【００１３】
（１）本体
本体１１０は、図１に示されるように、主に、温度調節器接続部１１１、ヒータ１１２、遮熱板１１３および安全装置１１４から構成される。以下、これらの構成要素について詳述する。
【００１４】
（１−１）温度調節器接続部
温度調節器接続部１１１は、主に、一対の端子部（図示せず）、差込口１１１ｂおよび感熱棒挿通孔（図３参照）から構成される。一対の端子部は、ヒータ１１２に連結されると共に、差込口１１１ｂの奥から外方に向かって延びている。なお、この温度調節器接続部１１１は、ヒータ１１２と共に、本体１１０から取り外すことができるようになっている。なお、温度調節器１８０が温度調節器接続部１１１に接続されるとき、感熱棒挿通孔には、温度調節器１８０から延びる感熱棒１８２が挿通される。
【００１５】
（１−２）ヒータ
ヒータ１１２は、図１および図２に示されるように、Ｍ字型ヒータである。なお、このヒータ１１２は、上述の通り、その両端部が温度調節器接続部１１１の端子部に連結されている。また、このヒータ１１２は、設置状態において略水平な仮想平面に沿って配置されている。
【００１６】
（１−３）遮熱板
遮熱板１１３は、ヒータ１１２により生じる熱からテーブル等を保護する板であって、図１および図３に示されるように、ヒータ１１２の下方に配置されている。また、この遮熱板１１３は、ヒータ１１２の輻射熱を積極的に反射する形状とされている。
【００１７】
（１−４）安全装置
安全装置１１４は、図６から図８に示されるように、主に、壁部材１１４ａ、コイルバネ１１４ｅ、ボックス１１４ｂ、蓋体１１４ｃおよびガイド部１１４ｄから構成されており、図１および図２に示されるように、温度調節器接続部１１１の感熱棒挿通孔のヒータ側の近傍に配置されている。そして、この安全装置１１４は、本体１１０にプレート１５０が設置されていないとき（以下「プレート未設置時」という）、壁部材１１４ａの感熱棒挿通防壁部Ｗａ（後述）により温度調節器１８０の感熱棒１８２の進入を遮ることにより温度調節器１８０の端子受け部に温度調節器接続部１１１の端子部が挿入することを妨げる状態（以下「連結防止状態」という）となり、プレート１５０が本体１１０に設置されているとき（以下「プレート設置時」という）、温度調節器１８０の感熱棒１８２が規定位置まで挿入されることができると共に温度調節器１８０の端子受け部に温度調節器接続部１１１の端子部が接続されることができる状態（以下「連結可能状態」という）となる。以下、これらの構成要素について詳述する。
【００１８】
（ａ）壁部材
壁部材１１４ａは、図９に示されるように、主に、感熱棒挿通防壁部Ｗａ、一対の操作壁部Ｗｂおよび底壁部Ｗｃから形成されており、図７に示されるようにコイルバネ１１４ｅにより上方に向かって付勢されている。
【００１９】
感熱棒挿通防壁部Ｗａは、図９に示されるように、底壁部Ｗｃから略垂直方向に向かって延びる平壁である。また、この感熱棒挿通防壁部Ｗａには、図８および図９に示されるように、円形の貫通孔（開口）ＨＰが形成されている。なお、この貫通孔ＨＰは、プレート未設置時、温度調節器接続部１１１の感熱棒挿通孔に対向にしている。また、この貫通孔ＨＰの半径は、感熱棒１８２の基体部１８２ａの半径よりも小さく、感熱棒１８２の先端部１８２ｂの先端の半径よりも大きい。このため、この貫通孔ＨＰに感熱棒１８２を差し込もうとしても、この貫通孔ＨＰには、感熱棒１８２の先端部１８２ｂの一部が嵌り込むだけである。なお、安全装置１１４は、感熱棒１８２がこの状態であるときに、温度調節器１８０の端子受け部に温度調節器接続部１１１の端子部が挿入されないように配置されている。
【００２０】
操作壁部Ｗｂは、図９に示されるように、互いに対向する一対の平壁であって、底壁部Ｗｃから略垂直方向に向かって延びており、正面透視図において温度調節器接続部１１１の感熱棒挿通孔に対向にしていない。なお、本発明の実施の形態に係るホットプレート１００において、温度調節器接続部１１１が設けられる側が正面側となる。この操作壁部Ｗｂは、図７および図８に示されるように、高さ方向における上端の位置が感熱棒挿通防壁部Ｗａの高さ方向における上端の位置よりも高い。なお、この壁部材１１４ａでは、「感熱棒挿通防壁部Ｗａの高さ方向における上端の位置」と「操作壁部Ｗｂの高さ方向における上端の位置」との差が感熱棒１８２の基体部１８２ａの太さよりも少し大きくなるように、感熱棒挿通防壁部Ｗａおよび操作壁部Ｗｂが設計されている。また、この安全装置１１４は、図３に示されるように、感熱棒挿通防壁部Ｗａおよび操作壁部Ｗｂの上端位置がヒータ１１２の上端位置よりも上方に位置するように、本体１１０の遮熱板１１３に固定されている。すなわち、プレート設置時、プレート１５０は、この操作壁部Ｗｂに接触して壁部材１１４ａを下方に押し下げる。その結果、感熱棒挿通防壁部Ｗａが下方に押し下げられ、ホットプレート１００が連結可能状態となる。また、この操作壁部Ｗｂでは、図７および図８に示されるように、上部分が略半円板形状を呈しており、下部分が略矩形板形状を呈している。このため、プレート設置時、プレート１５０の裏側面に操作壁部Ｗｂが線接触することになる。
【００２１】
（ｂ）コイルバネ
コイルバネ１１４ｅは、上述の通り、壁部材１１４ａを上方に向かって付勢している。
【００２２】
（ｃ）ボックス
ボックス１１４ｂには、壁部材１１４ａおよびコイルバネ１１４ｅが収容されている。
【００２３】
（ｄ）蓋体
蓋体１１４ｃは、ボックス１１４ｂの開口を覆っている。そして、この蓋体１１４ｃの天壁Ｗｕには、図６に示されるように、平面視において感熱棒挿通防壁部Ｗａおよび一対の操作壁部Ｗｂに対向する位置にスリットＳＬが形成されている。このため、感熱棒挿通防壁部Ｗａおよび一対の操作壁部Ｗｂは、蓋体１１４ｃの天壁Ｗｕから上方に向かって出没自在に突出している。
【００２４】
（ｅ）ガイド部
ガイド部１１４ｄは、主に、水平壁部Ｗｍおよび垂直壁部Ｗｎから構成されており、ボックス１１４ｂと一体に形成されている。図７に示されるように、水平壁部Ｗｍはボックス１１４ｂの正面側上端から略水平方向に沿って正面側に向かって延びており、垂直壁部Ｗｎは水平壁部Ｗｍの先端から略垂直方向に沿って上方に向かって延びている。また、この垂直壁部Ｗｎには、切り欠きＮｔが形成されている。この切り欠きＮｔには、温度調節器１８０の感熱棒１８２が挿通される。
【００２５】
（２）プレート
プレート１５０は、通常の金属板であって、本体１１０に着脱自在に設置される。なお、このプレート１５０の裏側には、図１０に示されるように、感熱棒挿入用リブが設けられていない。
【００２６】
（３）温度調節器
温度調節器１８０は、図１から図３に示されるように、略直方体の部品であって、本体部１８１、感熱棒１８２、電源コード１８３および差込プラグ（図示せず）から構成される。以下、これらの構成要素について詳述する。
【００２７】
（３−１）本体部
本体部１８１は、主に、筐体１８５、一対の端子受け部（図示せず）、電源スイッチ（図示せず）、可変抵抗器（図示せず）、ダイヤル式の温度調節ツマミ１８６、インジゲータランプ（図示せず）、感熱棒接続部（図示せず）およびサーモスタット（図示せず）から構成されている。なお、端子受け部、電源スイッチ、可変抵抗器、インジゲータランプ、感熱棒接続部およびサーモスタットはいずれも筐体１８５に収められており、温度調節ツマミ１８６は筐体１８５の外部に露出するように設けられている（図１から図３等参照）。
【００２８】
端子受け部は、本体部１８１の感熱棒側に設けられる。そして、この端子受け部には、温度調節器接続部１１１の端子部が挿入される。なお、端子受け部に温度調節器接続部１１１の端子部が挿入されると、ヒータ１１２が通電可能な状態となる。
【００２９】
可変抵抗器のシャフトには、温度調節ツマミ１８６が取り付けられている。そして、温度調節ツマミ１８６には温度目盛が表示されており、使用者は、温度調節ツマミ１８６を回転させて温度目盛をインジゲータに合わせることによりヒータ１１２の出力を調節する。
【００３０】
また、可変抵抗器のシャフトには筐体１８５内においてスイッチ片が取り付けられており、使用者が温度調節ツマミ１８６を少し回したところで電源が入ると共にインジゲータランプが点灯するようになっている。
【００３１】
感熱棒接続部には、感熱棒１８２が接続されている。感熱棒接続部は、サーモスタットに通信接続されており、感熱棒１８２から送信される温度検知信号をサーモスタットに定期的に送信する。
【００３２】
サーモスタットは、感熱棒１８２により検知される温度（以下「検知温度」という）が温度調節ツマミ１８６の温度目盛に対応する温度（以下「設定温度」という）に達すると電源スイッチをオフにすると共にインジゲータランプを消灯し、検知温度が設定温度を下回ると再び電源スイッチをオンにすると共にインジゲータランプを点灯させる。
【００３３】
（３−２）感熱棒
感熱棒１８２は、いわゆるサーミスタであって、図３に示されるように、本体部１８１から突出している。この感熱棒１８２は、図２および図３に示されるように、主に、基体部１８２ａおよび先端部１８２ｂから形成されている。先端部１８２ｂは、図２および図３に示されるように、錐形状を呈している。なお、温度調節器１８０が温度調節器接続部１１１に差し込まれた状態では、感熱棒１８２の先端はプレート１５０の下に位置する（図５参照）。
【００３４】
（３−３）電源コードおよび差込プラグ
電源コード１８３は、本体部１８１から延びている。そして、その電源コード１８３の先端には、外部電源接続用の差込プラグが取り付けられている。
【００３５】
＜本発明の第１実施形態に係るホットプレートの特徴＞
（１）
本発明の第１実施形態に係るホットプレート１００では、安全装置１１４の壁部材１１４ａにおいて、感熱棒挿通防壁部Ｗａおよび操作壁部Ｗｂが設けられる。そして、この壁部材１１４ａでは、「感熱棒挿通防壁部Ｗａの高さ方向における上端の位置」と「操作壁部Ｗｂの高さ方向における上端の位置」との差が感熱棒１８２の基体部１８２ａの太さよりも少し大きくなるように、感熱棒挿通防壁部Ｗａおよび操作壁部Ｗｂが設計されている。また、この安全装置１１４は、図３に示されるように、感熱棒挿通防壁部Ｗａおよび操作壁部Ｗｂの上端位置がヒータ１１２の上端位置よりも上方に位置するように、本体１１０の遮熱板１１３に固定されている。このため、このホットプレート１００では、プレート１５０の裏側が平らであっても、プレート設置時において感熱棒挿通防壁部Ｗａの上方に感熱棒１８２を通過させることができる。したがって、このホットプレート１００では、プレート１５０の裏側にリブ等を形成しなくてもよい。したがって、このホットプレート１００の使用者は、プレート１５０を容易に洗浄することができる。
【００３６】
（２）
本発明の第１実施形態に係るホットプレート１００では、安全装置１１４の壁部材１１４ａにおいて、上部分が略半円板形状を呈する一対の操作壁部Ｗｂが設けられる。このため、このホットプレート１００では、プレート設置時において、プレート１５０が傾いて設置されることを抑制することができる。
【００３７】
（３）
本発明の第１実施形態に係るホットプレート１００では、温度調節器１８０が正常に温度調節器接続部１１１に接続された状態において、感熱棒１８２の先端部１８２ｂの左右両側に操作壁部Ｗｂが存在する。このため、このホットプレート１００では、ヒータ１１２からの熱が感熱棒１８２の先端部１８２ｂに伝達されることを抑制することができる。したがって、このホットプレート１００では、より正確にプレート１５０の温度を計測することができる。
【００３８】
（４）
本発明の第１実施形態に係るホットプレート１００では、プレート設置時、プレート１５０の裏側面に操作壁部Ｗｂが線接触する。このため、このホットプレート１００では、プレート１５０が安定して設置される。したがって、このホットプレート１００では、感熱棒１８２による温度検知を安定して行うことができる。
【００３９】
（５）
本発明の第１実施形態に係るホットプレート１００では、プレート未設置時に感熱棒１８２を本体１１０の感熱棒挿通孔に挿通しようとすると、感熱棒１８２の先端が、感熱棒挿通防壁部Ｗａの貫通孔ＨＰに嵌り込む。このため、このホットプレート１００では、感熱棒１８２が斜めに誤挿入されること等を抑制することができる。
【００４０】
＜変形例＞
（Ａ）
第１実施形態に係るホットプレート１００では平形のプレート１５０のみが用意されたが、さらに波形プレートおよびたこ焼きプレート等が交換可能に用意されてもよい。なお、かかる場合であっても、それらのプレートの裏側にリブ等を形成する必要はない。
【００４１】
（Ｂ）
第１実施形態に係るホットプレート１００ではプレート１５０の裏側に感熱棒挿入用リブが設けられていなかったが、プレート１５０の裏側に感熱棒挿入用リブが形成されてもかまわない。かかる場合、感熱棒挿通防壁部Ｗａおよび操作壁部Ｗｂの少なくとも感熱棒挿通防壁部Ｗａの上端位置がヒータ１１２の上端位置よりも下方に位置していてもよい。
【００４２】
（Ｃ）
第１実施形態では特に言及しなかったが、プレート設置時、プレート１５０がヒータ１１２に接触していてもよいし、プレート１５０とヒータ１１２との間に隙間が生じていてもよい。
【００４３】
（Ｄ）
第１実施形態では特に言及しなかったが、プレート１５０は、枠体（図１７参照）および板体から構成されていてもよい。かかる場合、枠体の内側に板体が設置されることによりプレートが形成されることになる。そして、このとき、コイルバネ１１４ｅの付勢力を、「枠体の重さのみではホットプレート１００が連結可能状態にはならず、枠体に板体が設置されたときに初めてホットプレート１００が連結可能状態になる」ように調整してもよい。
【００４４】
（Ｅ）
第１実施形態では特に言及しなかったが、正面視において感熱棒挿通防壁部Ｗａの上部分に窪みや切り欠きを形成してもよい。なお、かかる場合、感熱棒挿通防壁部Ｗａ高さ方向における上端の位置は、正面視においてこの窪みや切り欠きの最下点となる。
【００４５】
（Ｆ）
第１実施形態に係るホットプレート１００では感熱棒挿通防壁部Ｗａの貫通孔ＨＰが正面視において円形とされたが、正面視における貫通孔ＨＰの形状は矩形とされてもよい。かかる場合、正面視における貫通孔ＨＰの幅および高さの少なくとも一方の寸法が感熱棒１８２の基体部１８２ａの半径よりも小さく、正面視における貫通孔ＨＰの幅および高さが共に感熱棒１８２の先端部１８２ｂの先端の半径よりも大きければよい。
【００４６】
（Ｇ）
第１実施形態に係るホットプレート１００ではプレート設置時、プレート１５０の裏側面に操作壁部Ｗｂが一箇所のみで線接触したが、操作壁部Ｗｂがプレート１５０の裏側面に複数箇所で線接触するように操作壁部Ｗｂの上部分を形成してもよい。例えば、操作壁部Ｗｂの上部分を側面視において三角波形状とする等が考えられる。
【００４７】
（Ｈ）
第１実施形態に係るホットプレート１００ではプレート設置時、プレート１５０の裏側面に操作壁部Ｗｂが線接触したが、操作壁部Ｗｂがプレート１５０の裏側面に点接触するように操作壁部Ｗｂの上部分を尖らせてもよい。かかる場合、操作壁部Ｗｂの上部分は、プレート１５０の裏側面に一箇所のみで点接触するように形成されてもよいし、複数箇所で点接触するように形成されてもよい。
【００４８】
−第２実施形態−
＜本発明の第２実施形態に係るホットプレートの構成＞
本発明の第２実施形態に係るホットプレートは、プレートおよび安全装置を除き、第１実施形態に係るホットプレート１００と同一である。このため、ここでは、主にプレートおよび安全装置について説明を行い、第１実施形態に係るホットプレート１００と同様の構成については、第１実施形態で使用した符号と同一の符号を付して適宜その説明を省略する。
【００４９】
（１）プレート
プレート２５０は、図１８から図２０に示されるように、枠体２５１および板体２５２から構成されている。すなわち、枠体２５１の内側に板体２５２が設置されることによりプレート２５０が形成されることになる。
【００５０】
枠体２５１は、図１４および図１５に示されるように、主に、縁部２５１ｂおよび板体載置部２５１ａから構成されている。板体載置部２５１ａは、縁部２５１ｂの内側に形成されている。そして、この板体載置部２５１ａには、板体２５２が載置される。また、この板体載置部２５１ａには、図１４および図１５に示されるように、長手方向の片側、幅方向中央部に切り欠きＮｔが形成されている。なお、この枠体２５１の裏側には、図１７に示されるように、感熱棒挿入用リブが設けられていない。
【００５１】
板体２５２は、通常の金属板であって、上述の通り、使用時において、枠体２５１の縁部２５１ｂの内側に嵌め込まれる。なお、この板体２５２の長手方向の両側、幅方向中央部には取っ手２５２ａが設けられている。
【００５２】
（２）安全装置
第２実施形態に係るホットプレート２００（図１８参照）において、安全装置２１４は、図１１および図１２に示されるように、第１実施形態に係るホットプレート１００の安全装置１１４と同様の位置に配置されている。なお、図１１から図１３において符号２１０は「本体」を示している。
【００５３】
この安全装置２１４は、図１１から図１３に示されるように、主に、壁部材２１４ａ、ガイド棒２１４ｆおよびコイルバネ２１４ｅから構成されている。以下、これらの構成要素について詳述する。
【００５４】
（２−１）壁部材
壁部材２１４ａは、図１１から図１３に示されるように、主に、感熱棒挿通防壁部Ｗｘ、操作壁部Ｗｙおよび底壁部Ｗｚから形成されている。
【００５５】
感熱棒挿通防壁部Ｗｘは、図１３に示されるように、底壁部Ｗｚから略垂直方向に向かって延びる平壁である。また、この感熱棒挿通防壁部Ｗｘには、図１１に示されるように、円形の貫通孔（開口）ＨＰが形成されている。なお、この貫通孔ＨＰと温度調節器接続部１１１の感熱棒挿通孔との位置関係、および、この貫通孔ＨＰの寸法と感熱棒１８２の寸法との関係は第１実施形態で説明した関係と同様である。
【００５６】
操作壁部Ｗｙは、図１３に示されるように、底壁部Ｗｚから略垂直方向に向かって延びる平壁であって、感熱棒挿通防壁部Ｗｘに対向するように配置されている。なお、この操作壁部Ｗｙは、温度調節器１８０が正常に温度調節器接続部１１１に接続された状態において感熱棒１８２の先端位置よりも奥側に位置するように配置されている。すなわち、温度調節器１８０が正常に温度調節器接続部１１１に接続された状態において、感熱棒１８２の先端が操作壁部Ｗｙまで到達することはない。また、この操作壁部Ｗｙは、図１１および図１３に示されるように、高さ方向における上端の位置が感熱棒挿通防壁部Ｗｘの高さ方向における上端の位置よりも高い。なお、この壁部材２１４ａでは、「感熱棒挿通防壁部Ｗｘの高さ方向における上端の位置」と「操作壁部Ｗｙの高さ方向における上端の位置」との差が感熱棒１８２の基体部１８２ａの太さよりも少し大きくなるように、感熱棒挿通防壁部Ｗｘおよび操作壁部Ｗｙが設計されている。また、この安全装置２１４は、図１３に示されるように、感熱棒挿通防壁部Ｗｘの上端位置がヒータ１１２の上端位置よりも下方に位置すると共に操作壁部Ｗｙの上端位置がヒータ１１２の上端位置よりも上方に位置するように、本体２１０の遮熱板１１３に固定されている。さらに、この操作壁部Ｗｙは、図１５に示されるように、平面視において、板体載置部２５１ａの切り欠きＮｔに対向する位置に配置されている。すなわち、このホットプレート２００では、枠体２５１のみが本体２１０に設置される場合、壁部材２１４ａが押し下げられることない。つまり、かかる場合、本体２１０は、連結防止状態となったままである（図１４から図１６参照）。しかし、この枠体２５１の板体載置部２５１ａに板体２５２が載置されると、板体２５２が、操作壁部Ｗｙに接触して壁部材２１４ａを押し下げる。その結果、感熱棒挿通防壁部Ｗｘが下方に押し下げられ、本体２１０が連結可能状態となる（図１８から図２０参照）。
【００５７】
（２−２）ガイド棒
ガイド棒２１４ｆは、図１３に示されるように、壁部材２１４ａ底壁部Ｗｚの裏面から下方に向かって延びている。なお、このガイド棒２１４ｆは、壁部材２１４ａと一体に成形されている。
【００５８】
（２−３）コイルバネ
コイルバネ２１４ｅは、図１３に示されるように、ガイド棒２１４ｆの外側に嵌め込まれており、壁部材２１４ａを上方に向かって付勢している。
【００５９】
＜本発明の第２実施形態に係るホットプレートの特徴＞
（１）
本発明の第２実施形態に係るホットプレート２００では、安全装置２１４の壁部材２１４ａにおいて、感熱棒挿通防壁部Ｗｘおよび操作壁部Ｗｙが設けられる。そして、この壁部材２１４ａでは、「感熱棒挿通防壁部Ｗｘの高さ方向における上端の位置」と「操作壁部Ｗｙの高さ方向における上端の位置」との差が感熱棒１８２の基体部１８２ａの太さよりも少し大きくなるように、感熱棒挿通防壁部Ｗｘおよび操作壁部Ｗｙが設計されている。また、この安全装置２１４は、図１３に示されるように、感熱棒挿通防壁部Ｗｘの上端位置がヒータ１１２の上端位置よりも下方に位置すると共に操作壁部Ｗｙの上端位置がヒータ１１２の上端位置よりも上方に位置するように、構成されている。このため、このホットプレート２００では、板体２５２の裏側が平らであっても、プレート設置時において感熱棒挿通防壁部Ｗｘの上方に感熱棒１８２を通過させることができる。したがって、このホットプレート２００では、板体２５２の裏側にリブ等を形成しなくてもよい。したがって、このホットプレート２００の使用者は、板体２５２を容易に洗浄することができる。
【００６０】
（２）
本発明の第２実施形態に係るホットプレート２００では、本体２１０に枠体２５１を設置しただけでは壁部材２１４ａを押し下げて本体２１０を連結可能状態とすることができず、枠体２５１に板体２５２を設置して初めて壁部材２１４ａを押し下げて本体２１０を連結可能状態とすることができる。このため、このホットプレート２００では、調理可能な状態となって初めてヒータ１１２に通電することができる。
【００６１】
＜変形例＞
（Ａ）
第２実施形態に係るホットプレート２００では枠体２５１の板体載置部２５１ａに切り欠きＮｔが形成されたが、この切り欠きＮｔに代えて開口が形成されてもよい。
【００６２】
（Ｂ）
第２実施形態に係るホットプレート２００では枠体２５１の板体載置部２５１ａの長手方向片側のみに切り欠きＮｔが形成されたが、切り欠きＮｔが板体載置部２５１ａの長手方向両側に形成されてもよい。
【符号の説明】
【００６３】
１００，２００        ホットプレート（加熱調理器）
１１１                温度調節器接続部（温度調節器受容部）
１１２                ヒータ（発熱部）
１１４，２１４        安全装置
１１４ａ，２１４ａ    壁部材
１１４ｅ，２１４ｅ    コイルバネ（付勢部）
１５０，２５０        プレート（加熱板）
１８０                温度調節器
１８１                本体部
１８２                感熱棒
Ｎｔ                  切り欠き
Ｗａ，Ｗｘ            感熱棒挿通防壁部（第１壁部）
Ｗｂ，Ｗｙ            操作壁部（第２壁部）
【図１】
0005987483.tif 000002
【図２】
0005987483.tif 000003
【図３】
0005987483.tif 000004
【図４】
0005987483.tif 000005
【図５】
0005987483.tif 000006
【図６】
0005987483.tif 000007
【図７】
0005987483.tif 000008
【図８】
0005987483.tif 000009
【図９】
0005987483.tif 000010
【図１０】
0005987483.tif 000011
【図１１】
0005987483.tif 000012
【図１２】
0005987483.tif 000013
【図１３】
0005987483.tif 000014
【図１４】
0005987483.tif 000015
【図１５】
0005987483.tif 000016
【図１６】
0005987483.tif 000017
【図１７】
0005987483.tif 000018
【図１８】
0005987483.tif 000019
【図１９】
0005987483.tif 000020
【図２０】
0005987483.tif 000021